(57)【要約】【課題】バッチ音の周期を、液体の流量に応じて柔軟に変更させること。【解決手段】バッチ音調整装置１００ａは、単位時間あたりに所定の流量で放出される液体の積算値を算出する積算量算出部１１０ａと、積算量算出部１１０ａにより算出された液体の積算値が閾値を超えたか否かを判定し、積算値が所定の閾値を超えたと判定した場合には、積算量算出部１１０ａに対して積算値を初期値に戻す信号を送出するとともに、バッチ音を吹鳴する吹鳴装置２００に対してバッチ音を吹鳴させる信号を送出する閾値判定部１２０ａとを有する。これにより、例えば、バッチ音調整装置１００ａは、液体の流量が大きくなれば、それに伴ってバッチ音を吹鳴させる周期を早くすることができる。【選択図】図２
2014134465.tif 000002
【特許請求の範囲】
【請求項１】
原子力プラント制御システムの吹鳴装置を吹鳴させる音調整装置であって、
液体の流量の積算値を算出する積算値算出部と、
前記積算値算出部により算出される前記積算値が閾値を超えているか否かを判定し、前記積算値が前記所定の閾値を超えていると判定した場合には、前記積算値算出部に対して前記積算値を初期値に戻す信号を送出するとともに、前記吹鳴装置に対して音を吹鳴させる信号を送出する閾値判定部と
を有することを特徴とする音調整装置。
【請求項２】
前記閾値判定部は、前記積算値を初期値に戻す信号と、前記吹鳴装置に対して音を吹鳴させる信号とを同一の信号とすることを特徴とする請求項１に記載の音調整装置。
【発明の詳細な説明】
【技術分野】
【０００１】
本発明は、原子力プラント制御システムの吹鳴装置を吹鳴させる音調整装置に関し、特に、吹鳴装置により吹鳴される音の周期を、液体の流量に応じて柔軟に変更させることができる音調整装置に関する。
【背景技術】
【０００２】
原子力発電プラント等の原子力プラント制御システムでは、ホウ酸と水を混合した１次冷却材を用いて、原子炉の出力調整が行われている。原子力プラント制御システムでは、例えば、容積式流量計等のアナログ計測器などにより、１次冷却材の補給量を管理している（例えば、特許文献１参照）。また、原子力プラント制御システムでは、１次冷却材の流量を運転員に感覚的に把握させるために、１次冷却材を放出している間、周期的なバッチ音を吹鳴させている。
【０００３】
以下、図７を参照しつつ、従来の原子力プラント制御システムにおけるバッチ音を吹鳴させる仕組みについて説明する。図７は、従来の原子力プラント制御システムにおけるバッチ音を吹鳴させる仕組みの一例を示す図である。
【０００４】
図７に示すように、従来の原子力プラント制御システムでは、バイステーブル３１と、バイステーブル３２と、オンディレイタイマー３３と、吹鳴ロジック判定部３４とを有する回路３０によりバッチ音を吹鳴させている。バイステーブル３１は、例えば、１次冷却材であるホウ酸水の流量が単位時間あたりＡｍ３／ｓ以上である場合に、吹鳴ロジック判定部３４にオン信号を出力する。バイステーブル３２は、例えば、１次冷却材であるホウ酸水の流量が単位時間あたりＢｍ３／ｓ以下（Ａ＜Ｂ）である場合に、吹鳴ロジック判定部３４にオン信号を出力する。オンディレイタイマー３３は、吹鳴ロジック判定部３４に、吹鳴装置に対する信号の出力周期（時間）を出力する。吹鳴ロジック判定部３４は、バイステーブル３１およびバイステーブル３２からオン信号が入力された場合、オンディレイタイマー３３から入力された出力周期で、吹鳴装置に対して信号を出力する。
【先行技術文献】
【特許文献】
【０００５】
【特許文献１】特公昭６２−２２８０号公報
【発明の概要】
【発明が解決しようとする課題】
【０００６】
上述したように、従来の原子力プラント制御システムでは、例えば、１次冷却材の単位時間あたりの流量が所定の範囲にある場合に、一定の周期でバッチ音を吹鳴させることはできるが、１次冷却材の流量の変化に応じて、バッチ音の周期を柔軟に変更させることはできない。
【０００７】
本発明は、上記に鑑みてなされたものであって、吹鳴装置により吹鳴される音の周期を、液体の流量に応じて柔軟に変更させることができる音調整装置を提供することを目的とする。
【課題を解決するための手段】
【０００８】
音調整装置は、１つの態様として、液体の流量の積算値を算出する積算値算出部と、前記積算値算出部により算出される前記積算値が閾値を超えているか否かを判定し、前記積算値が前記所定の閾値を超えていると判定した場合には、前記積算値算出部に対して前記積算値を初期値に戻す信号を送出するとともに、前記吹鳴装置に対して音を吹鳴させる信号を送出する閾値判定部とを有することを特徴とする。
【発明の効果】
【０００９】
本発明に係る音調整装置は、吹鳴装置により吹鳴される音の周期を、液体の流量に応じて柔軟に変更させることができるという効果を奏する。
【図面の簡単な説明】
【００１０】
【図１】図１は、原子力プラント制御システムの概念的な構成の一例を示す図である。
【図２】図２は、バッチ音調整装置の機能構成の一例を示すブロック図である。
【図３】図３は、バッチ音調整装置による処理の流れを示す図である。
【図４】図４は、純水又は高濃度ホウ酸水の積算量と時間との関係の一例を示す図である。
【図５】図５は、純水又は高濃度ホウ酸水の積算量と時間との関係の一例を示す図である。
【図６】図６は、純水又は高濃度ホウ酸水の積算量と時間との関係の一例を示す図である。
【図７】図７は、従来の原子力プラント制御システムにおけるバッチ音を吹鳴させる仕組みの一例を示す図である。
【発明を実施するための形態】
【００１１】
以下に、本発明に係る音調整装置の実施例を図面に基づいて詳細に説明する。なお、この実施例によりこの発明が限定されるものではない。さらに、この実施例における構成要素には、当業者が容易に想定できるもの、実質的に同一のもの、いわゆる均等の範囲のものが含まれる。なお、以下では、原子力プラント制御システムに、本発明に係る音調整装置の一例であるバッチ音調整装置が使用されたときの実施例を説明する。
【実施例】
【００１２】
［原子力プラントの概念構成］
まず、図１を参照しつつ、本実施例に係る原子力プラント制御システムの概念的な構成の一例を説明する。図１は、原子力プラント制御システムの概念的な構成の一例を示す図である。
【００１３】
図１に示すように、本実施例に係る原子力プラント制御システム１０は、中央制御設備１１と、計算機１２と、原子炉保護設備１３と、原子炉トリップ遮断器１４と、工安系プラント機器１５と、原子炉制御設備１６と、制御棒制御設備１７と、常用系プラント機器１８と、バッチ音調整装置１００とを有する。
【００１４】
中央制御設備１１は、運転コンソールや大型表示盤、運転指令コンソール、吹鳴装置２００などを有するプラントの制御設備である。運転コンソールは、運転員による一体的な監視操作を可能とするために、ハードウェアの監視器具（指示計、記録計、表示灯など）や、操作器が設置された中央制御盤などを有する。運転コンソールには、例えば、通常運転時のプラント運転監視操作を行う監視操作用ＶＤＵ（Visual  Display  Unit）、重要度及び優先度に応じて警報表示を行う警報表示ＶＤＵ、安全系機器の監視操作を行う安全系ＶＤＵなどが設置される。大型表示盤は、プラント全体の情報を提供したり、運転員間の情報を共有したりするために、常時表示すべきパラメータや代表警報を表示する。運転指令コンソールは、当直長が運転員の指揮及び監督を行うために、運転コンソールと同一の画面が表示される。吹鳴装置２００は、後述するバッチ音調整装置１００からの信号に基づいて、バッチ音を吹鳴させる装置である。
【００１５】
計算機１２は、各種設備からの情報を取得して演算処理を行い、例えば、中央制御設備１１に設置された運転コンソールや大型表示盤などに演算結果を出力する。
【００１６】
原子炉保護設備１３、原子炉トリップ遮断器１４及び工安系プラント機器１５は、安全保護系統と呼ばれる系統に属する設備や機器である。安全保護系統とは、プラントの運転の安全性を確保するために、原子炉停止系や工学的安全施設の作動を自動的に開始させるためのものである。原子炉保護設備１３は、冷却系統の圧力や温度などに基づいて原子炉の異常を検出した場合に、原子炉トリップ遮断器１４及び工安系プラント機器１５などを制御する設備である。原子炉トリップ遮断器１４は、制御棒を支持する電磁石の電流を切断し、制御棒を原子炉の炉心へ落下させる設備である。工安系プラント機器１５は、工学的安全施設のポンプや弁などの機器である。
【００１７】
原子炉制御設備１６、制御棒制御設備１７及び常用系プラント機器１８は、制御系統と呼ばれる系統に属する設備や機器である。制御系統とは、プラントの通常の運転を制御するためのものである。原子炉制御設備１６は、検出器や制御弁およびポンプなどから得られるパラメータに基づいて、原子炉の通常の運転を制御する設備である。制御棒制御設備１７は、原子炉の通常の運転における制御棒の使用を制御する設備である。常用系プラント機器１８は、検出器や制御弁およびポンプなどの機器である。バッチ音調整装置１００は、常用系プラント機器１８である検出器の検出結果に基づいて、ホウ酸水を流出させているときのバッチ音を調整する。以下、本実施例に係るバッチ音調整装置１００の機能構成の一例を説明する。
【００１８】
［バッチ音調整装置の機能構成］
図２は、本実施例に係るバッチ音調整装置の機能構成の一例を示すブロック図である。図２に示すバッチ音調整装置１００ａ及びバッチ音調整装置１００ｂは、例えば、発電原子力分野における計装及び電気ロジックを記述する機能を基本としたエンジニアリングツール（ＰＯＬ（Problem  Oriented  Language））を用いて設計・製作された論理回路である。例えば、バッチ音調整装置１００ａ及びバッチ音調整装置１００ｂは、必要な論理ゲート（トランジスタ）が搭載されたチップを複数配置して構成され、論理ゲートが入力に応じた出力を行うことにより所定の処理を実現する。なお、バッチ音調整装置１００ａ及びバッチ音調整装置１００ｂは、プログラム素子として利用する記憶装置を書き込む値を変更することで、チップに予め搭載された論理ゲートに入力する信号及び出力する信号の極性を自由に変更できるプログラマブル論理回路を用いて実装してもよい。記憶装置としては、読み書き可能なＳＲＡＭ（Static  Random  Access  Memory）やフラッシュメモリなどを用いることができる。
【００１９】
図２に示すように、バッチ音調整装置１００ａ又はバッチ音調整装置２００ｂに接続される常用系プラント機器１８には、純水タンク１８ａと、純水ポンプ１８ｂと、純水流量制御弁１８ｃと、純水流量検出器１８ｄと、ホウ酸水タンク１８ｅと、ホウ酸水ポンプ１８ｆと、ホウ酸水流量制御弁１８ｇと、ホウ酸水流量検出器１８ｈと、混合器１８ｉとが含まれる。
【００２０】
純水タンク１８ａは、例えば、１次冷却材に用いられる純水を蓄える。１次冷却材とは、核分裂反応によって発熱した原子炉を冷却するためのものである。純水ポンプ１８ｂは、純水タンク１８ａに蓄えられた純水を純水流量制御弁１８ｃへ送る。純水流量制御弁１８ｃは、体積制御タンクへ送られる純水の流量を弁の開閉によって調整する。純水流量検出器１８ｄは、純水タンク１８ａから体積制御タンクへ送られる純水の流量を検出する。
【００２１】
ホウ酸水タンク１８ｅは、例えば、１次冷却材に用いられる高濃度ホウ酸水を蓄える。ホウ酸水ポンプ１８ｆは、ホウ酸水タンク１８ｅに蓄えられた高濃度ホウ酸水をホウ酸水流量制御弁１８ｇへ送る。ホウ酸水流量制御弁１８ｇは、体積制御タンクへ送られる高濃度ホウ酸水の流量を弁の開閉によって調整する。ホウ酸水流量検出器１８ｈは、ホウ酸水タンク１８ｅから体積制御タンクへ送られる高濃度ホウ酸水の流量を検出する。混合器１８ｉは、純水と高濃度ホウ酸水とを混合して体積制御タンクへ送る。体積制御タンクは、図示は省略するが、１次冷却材の量を調整するためのタンクである。例えば、原子力プラン制御システムでは、高濃度ホウ酸水の流量を調整して、１次冷却材に含まれるホウ酸の濃度を変更することにより、原子炉の核分裂反応に直接働きかけて原子炉の出力を調整する場合がある。
【００２２】
図２に示すように、バッチ音調整装置１００ａは、常用系プラント機器１８である純水流量検出器１８ｄに接続される。そして、バッチ音調整装置１００ａは、図２に示すように、積算量算出部１１０ａと、閾値判定部１２０ａとを有する。
【００２３】
積算量算出部１１０ａは、体積制御タンクに送られる純水の積算量（積算の補給量）を算出する。具体的には、積算量算出部１１０は、純水流量検出器１８ｄにより検出された純水の単位時間あたりの流量を取得する。なお、積算量算出部１１０ａは、純水の単位時間あたりの流量を、例えば、純水の放水が開始されてからリアルタイムで取得する。
【００２４】
続いて、積算量算出部１１０ａは、純水の単位時間あたりの流量に基づいて、体積制御タンクに送られる純水の積算量を算出する。例えば、積算量算出部１１０ａは、純水の単位時間あたりの流量（ｍ３／ｓ）の値をそのまま積算した積算値を積算量として算出してもよいし、純水の単位時間の流量に基づいて、それまで放出された純水の容積を積算量として算出してもよい。なお、積算量算出部１１０ａは、リアルタイムの積算量を算出してもよいし、一定時間ごとの積算量を算出してもよい。そして、積算量算出部１１０ａは、算出した純水の積算量を閾値判定部１２０ａに送出し、算出した純水の積算量を記録する。
【００２５】
また、積算量算出部１１０ａは、純水の放水が開始されてから終了するまでの間、積算量を算出する処理を継続する。また、積算量算出部１１０ａは、純水の単位時間あたりの流量を、例えば、放水が開始されてからリアルタイムに取得するのではなく、放水が開始されてから一定のタイミングで取得してもよい。この場合、積算量算出部１１０ａは、純水の単位時間あたりの流量の変化を予測し、それまで放出された純水の容積を積算量として、その概算値を算出するものとする。
【００２６】
また、積算量算出部１１０ａは、後述する閾値判定部１２０ａから送出された信号を取得した場合には、記録しておいた現時点での積算量を初期値（例えば、０ｍ３／ｓ）に戻し、改めて積算量の算出を開始する。
【００２７】
閾値判定部１２０ａは、積算量算出部１１０ａにより算出された積算量のリセット及び吹鳴装置２００ａによるバッチ音を吹鳴させる周期を制御する。具体的には、閾値判定部１２０ａは、積算量算出部１１０ａから送出された純水の積算量を取得すると、取得した積算量と閾値とを比較し、積算量が閾値を超えているか否かを判定する。なお、閾値は、予め原子力制御プラント制御システムの管理者により設定されているものとする。
【００２８】
判定の結果、積算量が閾値を超えていない場合には、閾値判定部１２０ａは、積算量算出部１１０ａから次の積算量が送出されてくるのを待機する。そして、積算量算出部１１０ａから次の積算量を取得すると、積算量が閾値を超えているか否かを判定する。判定の結果、積算量が閾値を超えている場合には、閾値判定部１２０ａは、積算量算出部１１０ａに対して、積算量を初期値に戻すための信号を送出する。さらに、閾値判定部１２０ａは、吹鳴装置２００ａに対して、バッチ音を吹鳴させるための信号を送出する。閾値判定部１２０ａから積算量算出部１１０ａ及び吹鳴装置２００ａに送出する信号は、同一の信号でも異なる信号であってもよい。
【００２９】
上述してきたように、図２に示すバッチ音調整装置１００ａによれば、純水タンク１８ａから体積制御タンクへ送られる純水の流量に応じて、吹鳴装置２００ａのバッチ音を吹鳴させる周期を柔軟に変更させることができることができる。
【００３０】
図２に示すように、バッチ音調整装置１００ｂは、常用系プラント機器１８であるホウ酸水流量検出器１８ｈに接続される。バッチ音調整装置１００ｂは、上述したバッチ音調整装置１００ａと同様の処理を実行する機能を有する。そして、図２に示すバッチ音調整装置１００ｂによれば、ホウ酸水タンク１８ｅから体積制御タンクへ送られる高濃度ホウ酸水の流量に応じて、吹鳴装置２００ｂのバッチ音を吹鳴させる周期を柔軟に変更させることができることができる。バッチ音調整装置１００ｂの処理は、上述したバッチ音調整装置１００ａと同様の処理である。
【００３１】
［バッチ音調整装置による処理］
図３を用いて、本実施例に係るバッチ音調整装置による処理の流れを説明する。図３は、本実施例に係るバッチ音調整装置による処理の流れを示す図である。図２に示すバッチ音調整装置１００ａ及びバッチ音調整装置１００ｂの処理は同様であるので、図３では、純水の流量に応じてバッチ音を吹鳴させるバッチ音調整装置１００ａの処理の流れを一例として説明する。図３に示す処理は、純水の放水が開始されてから終了するまでの間、繰り返し実行される。
【００３２】
図３に示すように、積算量算出部１１０ａは、純水の単位時間あたりの流量に基づいて純水の積算量を算出し、算出した積算量を閾値判定部１２０ａに送出する（ステップＳ１０１）。
【００３３】
閾値判定部１２０ａは、積算量算出部１１０ａから積算量を取得すると（ステップＳ１０２）、積算量が閾値を超えているか否かを判定する（ステップＳ１０３）。判定の結果、積算量が閾値を超えている場合には（ステップＳ１０３、Ｙｅｓ）、閾値判定部１２０ａは、積算量算出部１１０ａに対して、積算量を初期値に戻すための信号を送出する（ステップＳ１０４）。このとき、閾値判定部１２０ａは、吹鳴装置２００ａに対して、バッチ音を吹鳴させるための信号も送出する。
【００３４】
積算量算出部１１０ａは、閾値判定部１２０ａから信号を取得すると（ステップＳ１０５）、記録しておいた純水の積算量を初期値にリセットし（ステップＳ１０６）、ステップＳ１０１に戻って、純水の積算量を改めて算出する。
【００３５】
ステップＳ１０３の説明に戻る。判定の結果、積算量が閾値を超えていない場合には（ステップＳ１０３、Ｎｏ）、閾値判定部１２０ａは、ステップＳ１０２に戻って、積算量算出部１１０ａから次の積算量が送出されてくるのを待機する。そして、積算量算出部１１０ａから次の積算量を取得すると、積算量が閾値を超えているか否かを判定する。
【００３６】
上述してきたように、バッチ音調整装置１００ａは、純水の積算量が閾値を超えている場合には、積算量を初期値に戻すとともに、吹鳴装置２００ａに対して、バッチ音を吹鳴させるための信号を送出する。同様にして、バッチ音調整装置１００ｂは、高濃度ホウ酸水の積算量が閾値を超えている場合には、積算量を初期値に戻すとともに、吹鳴装置２００ｂに対して、バッチ音を吹鳴させるための信号を送出する。このようなことから、本実施例によれば、吹鳴装置により吹鳴される音（バッチ音）の周期を、液体の流量に応じて柔軟に変更させることができるこれにより、例えば、原子力プラント制御システムの運転員などは、原子炉の出力を調整するための純水及び高濃度ホウ酸水の双方の放水が確実の行われていることを確認できる。
【００３７】
以下、図４〜図６を参照しつつ、ホウ酸水の積算量と時間との関係を示す図面を参照しつつ、本実施例による効果について説明する。図４〜図６は、純水又は高濃度ホウ酸水の積算量と時間との関係の一例を示す図である。
【００３８】
図４は、純水又は高濃度ホウ酸水の単位時間あたりの流量が時間の経過とともに大きくなり、やがて一定となる時の純水又は高濃度の積算量と時間との関係を示している。図４に示すＨ１は、純水又は高濃度の積算量を初期値に戻すための閾値であり、図４に示すＲ１〜Ｒ７は、バッチ音調整装置１００が積算量を初期値に戻すタイミングであり、図４に示すＴ１〜Ｔ４は、積算量が閾値Ｈ１に到達するまでの時間である。
【００３９】
図４に示すように、純水又は高濃度の流量が大きくなるに従って、純水又は高濃度の積算量が閾値に到達する時間が、Ｔ１＞Ｔ２＞Ｔ３＞Ｔ４というように短くなる。つまり、バッチ音調整装置１００が積算量を初期値に戻すタイミングＲ１〜Ｒ７も、純水又は高濃度の流量が大きくなるに従って早くなる。バッチ音調整装置１００は、純水又は高濃度の積算量を初期値に戻すと同時に、吹鳴装置２００に対して信号を出力するので、結果として、純水又は高濃度の流量が大きくなるに従って、バッチ音を吹鳴させる周期が早くなる。このように、本実施例によれば、純水又は高濃度の流量に応じて、バッチ音を吹鳴させる周期を柔軟に変更できる。
【００４０】
図５は、純水又は高濃度の単位時間あたりの流量が一定である時の純水又は高濃度の積算量と時間との関係を示している。図５に示すＨ１は、図４に示すＨ１に対応し、図５に示すＲ８〜Ｒ１１は、バッチ音調整装置１００が積算量を初期値に戻すタイミングであり、図５に示すＴ１は、図４に示すＴ１に対応する。
【００４１】
図５に示すように、純水又は高濃度の流量が一定である場合には、純水又は高濃度の積算量が閾値に到達する時間も、Ｔ１で一定となる。つまり、バッチ音調整装置１００が積算量を初期値に戻すタイミングＲ８〜Ｒ１１も、一定となる。バッチ音調整装置１００は、ホウ酸水の積算量を初期値に戻すと同時に、吹鳴装置２００に対して信号を出力するので、結果として、純水又は高濃度の流量が一定である場合、バッチ音を吹鳴させる周期も一定となる。このように、本実施例によれば、純水又は高濃度の流量に応じて、バッチ音を吹鳴させる周期を柔軟に変更できる。
【００４２】
図６は、図５の閾値Ｈ１よりも値の大きい閾値Ｈ２を用いた時の純水又は高濃度の積算量と時間との関係を示している。なお、図６における純水又は高濃度の流量は、図５と同じである。図６に示すＨ２は、純水又は高濃度の積算量を初期値の戻すための閾値であり、図４及び図５に示すＨ１よりも値が大きい。図６に示すＲ１２〜Ｒ１４は、バッチ音調整装置１００が積算量を初期値に戻すタイミングであり、図６に示すＴ５は、積算量が閾値Ｈ２に到達するまでの時間である。
【００４３】
図６に示すように、純水又は高濃度の流量が同じである場合に、純水又は高濃度の積算量を初期値に戻すための閾値の値を図５のときよりも大きくすると、純水又は高濃度の積算量が閾値に到達する時間も、Ｔ２＞Ｔ１で大きくなる。つまり、バッチ音調整装置１００が積算量を初期値に戻すタイミングＲ１２〜Ｒ１４も、図５のときよりも遅くなる。バッチ音調整装置１００は、純水又は高濃度の積算量を初期値に戻すと同時に、吹鳴装置２００に対して信号を出力するので、結果として、純水又は高濃度の流量が同じである場合に、純水又は高濃度の積算量を初期値の戻すための閾値を大きくすることで、バッチ音を吹鳴させる周期は長くなる。このように、純水又は高濃度の積算量を初期値に戻すための閾値の値の大きさによって、バッチ音を吹鳴させる周期を流量に応じて変更させる反応速度を予め決定することができる。
【００４４】
また、本実施例では、閾値判定部１２０から積算量算出部１１０及び吹鳴装置２００に送出する信号は、同一の信号でも異なる信号であってもよいが、例えば、同一の信号を用いることで、閾値判定部１２０に異なる信号を送出する仕組みを設けることなく、積算量を初期値に戻すとともに、バッチ音を吹鳴させることができる。
【００４５】
また、上述した実施例において、純水と高濃度ホウ酸水とを混合したホウ酸水の流量に応じてバッチ音を吹鳴させたい場合には、混合器１８ｉからの流量を検出できるようにすれば、上述のバッチ音調整装置１００により実現可能である。
【００４６】
また、従来の処理原子力プラント制御システムでは、液体の流量に応じて周期の異なるバッチ音を吹鳴させようとした場合、オンディレイタイマー３３の設定時間を変更する必要があるので、バッチ音の周期ごとに図７に示す回路３０を用意する必要がある。これに対して、本実施例によれば、液体の流量に応じて周期の異なるバッチ音を吹鳴させる場合であっても、バッチ音の周期ごとに回路を用意する必要がないので、従来よりも回路構成を簡易にできる。
【００４７】
また、本実施例では、原子力プラント制御システムにおいて、純水又は高濃度の積算量に応じてバッチ音を吹鳴させる周期を柔軟に変更させる例を説明したが、原子力プラント制御システムに限らず、液体の流量に応じて音を吹鳴させるシステムや装置に適用することができる。
【００４８】
また、図２に示すバッチ音調整装置１００ａの各構成要素は機能概念的なものであり、必ずしも物理的に図示の如く構成されていることを要しない。例えば、積算量算出部１１０ａと閾値判定部１２０ａとを機能的または物理的に統合した構成としてもよい。このように、図２に示すバッチ音調整装置１００ａの各構成要素の分散または統合の具体的形態は、図２に示すものに限られず、各構成要素の全部または一部を、各種の負荷や使用状況などに応じて、任意の単位で機能的または物理的に分散・統合して構成することができる。また、図２に示すバッチ音調整装置１００ａとバッチ音調整装置１００ｂとを機能的または物理的に統合した構成としてもよい。
【００４９】
また、図２に示すバッチ音調整装置１００ａ（又はバッチ音調整装置１００ｂ）の処理（例えば、図３参照）は、論理回路の代わりに、上述のバッチ音調整装置１００ａ（又はバッチ音調整装置１００ｂ）の処理と同様の処理機能を実現するための手順（プロセス）を実行させるためのプログラムをインストールしたパーソナルコンピュータやワークステーションなどのコンピュータにより実現することもできる。
【符号の説明】
【００５０】
１０  原子力プラント制御システム
１１  中央制御設備
１２  計算機
１３  原子炉保護設備
１４  原子炉トリップ遮断器
１５  工安系プラント機器
１６  原子炉制御設備
１７  制御棒制御設備
１８  常用系プラント機器
１００，１００ａ，１００ｂ  バッチ音調整装置
１１０ａ  積算量算出部
１２０ａ  閾値判定部
２００，２００ａ，２００ｂ  吹鳴装置
【図１】
2014134465.tif 000003
【図２】
2014134465.tif 000004
【図３】
2014134465.tif 000005
【図４】
2014134465.tif 000006
【図５】
2014134465.tif 000007
【図６】
2014134465.tif 000008
【図７】
2014134465.tif 000009